(57)【要約】【課題】  換気装置において、換気通路の上壁面に接着された防火材が剥がれ落ちるのを防止する。【解決手段】  換気装置２は、換気通路１４を有する細長い装置本体１０と、装置本体１０の長手方向に延びて換気通路１４に配置され、換気通路１４を開閉する作動板２０と、作動板２０を開閉する開閉機構３０と、を備えている。換気装置１４の上壁面１４ａには、装置本体１０の長手方向に延びる不燃性の防火材５０が接着されている。防火材５０は、火災時の異常高温で発泡して換気通路１４を塞ぐ。装置本体１０の長手方向両端部にはビス受け部材６０が固定されている。このビス受け部材６０は、サッシ戸の縦框３を換気装置２の両端に固定するためのビス７２を受ける役割と、防火材５０の両端部を下方から換気通路１４の上壁面１４ａに向かって押さえる支持部材としての役割を担っている。【選択図】  図２
2019128104.tif 000002
【特許請求の範囲】
【請求項１】
換気通路を有する細長い装置本体と、
上記装置本体の長手方向に延びて上記換気通路に配置され、上記換気通路を開閉する作動板と、
上記作動板を開閉する開閉機構と、
上記装置本体の長手方向に延びて上記換気通路の上壁面に貼り付けられ、火災時の異常高温で発泡して上記換気通路を塞ぐ不燃性の防火材と、
を備えた換気装置において、
上記装置本体の長手方向両端部に、上記防火材の両端部を下方から上記換気通路の上壁面に向かって押さえる支持部材を設けたことを特徴とする換気装置。
【請求項２】
上記装置本体の両端部にはビス受け部材が固定され、
上記換気通路の長手方向両端の開口を塞ぐ閉塞部材が、当該閉塞部材に挿通されて上記ビス受け部材にねじ込まれるビスにより、上記装置本体に固定されており、
上記ビス受け部材が上記支持部材を兼ねていることを特徴とする請求項１に記載の換気装置。
【請求項３】
上記ビス受け部材は、上端が開放されたタッピングホールを形成してなるビス受け部を有し、このビス受け部において屋内外方向に離間した一対の片部が、上記防火材を押さえることを特徴とする請求項２に記載の換気装置。
【請求項４】
上記閉塞部材がサッシ戸の縦框であることを特徴とする請求項２または３に記載の換気装置。
【発明の詳細な説明】
【技術分野】
【０００１】
本発明は、火災発生時に換気通路を遮断できる換気装置に関する。
【背景技術】
【０００２】
サッシ戸等に組み込まれる換気装置は一般的に、換気通路を有する細長い装置本体と、装置本体の長手方向に延びて換気通路を開閉する作動板と、作動板を開閉する開閉機構と、を備えている。
【０００３】
特許文献１に開示された換気装置は、換気通路内に配置され長手方向に延びる不燃性の防火材を備えている。この防火材は火災時の異常高温によって発泡し、換気通路を塞ぐようになっている。これにより、作動板が換気通路を開いた状態で火災が発生した場合でも、屋外の火炎が屋内に侵入するのを防止することができる。
【０００４】
特許文献１の図９に示す実施形態のように、上記防火材は、換気通路の上壁面に接着するのが好ましい。屋外から侵入する雨水に浸るのを回避でき、その劣化を回避できるからである。
【先行技術文献】
【特許文献】
【０００５】
【特許文献１】特開２００７−２２５１３６号公報（図９）
【発明の開示】
【発明が解決しようとする課題】
【０００６】
上述のように防火材を換気通路の上壁面に接着する場合、長期使用により接着剤が劣化し、防火材が剥がれ落ちて、換気通路内での空気流通を妨げたり、作動板の開閉動作を妨げる可能性がある。
【課題を解決するための手段】
【０００７】
本発明は、上記課題を解決するためになされたものであり、換気通路を有する細長い装置本体と、上記装置本体の長手方向に延びて上記換気通路に配置され、上記換気通路を開閉する作動板と、上記作動板を開閉する開閉機構と、上記装置本体の長手方向に延びて上記換気通路の上壁面に貼り付けられ、火災時の異常高温で発泡して上記換気通路を塞ぐ不燃性の防火材と、を備えた換気装置において、
上記装置本体の長手方向両端部に、上記防火材の両端部を下方から上記換気通路の上壁面に向かって押さえる支持部材を設けたことを特徴とする。
【０００８】
上記構成によれば、防火材を接着する接着剤が劣化しても防火材を支持部材により押さえているので、防火材が剥がれ落ちるのを防止でき、換気通路での空気の流通や作動板の開閉動作を妨げることがない。防火材はその長手方向両端部から徐々に剥がれる傾向があるが、その両端部を支持部材で押さえるので、防火材が剥がれ落ちるのを確実に防止することができる。支持部材は換気通路の両端部に配置されているので、換気通路での空気の流通の支障にはならない。
【０００９】
好ましくは、上記装置本体の両端部にはビス受け部材が固定され、上記換気通路の長手方向両端の開口を塞ぐ閉塞部材が、当該閉塞部材に挿通されて上記ビス受け部材にねじ込まれるビスにより、上記装置本体に固定されており、上記ビス受け部材が上記支持部材を兼ねている。
上記構成によれば、ビス受け部材が支持部材を兼ねるので、防火材を押さえるために部品点数が増加するのを回避することができる。
【００１０】
好ましくは、上記ビス受け部材は、上端が開放されたタッピングホールを形成してなるビス受け部を有し、このビス受け部において屋内外方向に離間した一対の片部が、上記防火材を押さえる。
上記構成によれば、防火材の各端部を２箇所で強く押し付けることができる。
【００１１】
具体的態様として、上記閉塞部材がサッシ戸の縦框である。
【発明の効果】
【００１２】
本発明によれば、換気通路の上壁面に接着した防火材が剥がれ落ちるのを、防止することができる。
【図面の簡単な説明】
【００１３】
【図１】本発明の一実施形態に係る換気装置を屋内側から見た正面図である。
【図２】図１のＡ−Ａ矢視拡大断面図である。
【発明を実施するための形態】
【００１４】
以下、本発明の一実施形態について図面を参照しながら説明する。
図１に示すサッシ戸１には、上框としての役割を有する換気装置２と、下框（図示しない）と左右の縦框３，３と、これら換気装置２と下框と縦框３，３によって支持されたガラス板４とを備えている。
【００１５】
図１、図２に示すように、換気装置２は、左右方向に細長く延びる装置本体１０を備えている。本実施形態の装置本体１０は、３つの押出型材（以下、型材と言う）、すなわち屋外側のアルミ製型材１１と中間のアルミ製型材１２と屋内側の樹脂製型材１３を、互いに連結することにより構成されている。
【００１６】
上記型材１１，１２，１３には、それぞれ上下に細長い通気口１１ａ，１２ａ，１３ａが装置本体１０の長手方向に等間隔をおいて多数形成されている。装置本体１０は、その長手方向に延びる換気通路１４を有している。換気通路１４は通気口１１ａを介して屋外に連なり、通気口１３ａを介して屋内に連なっている。
【００１７】
型材１１の上端部に、レールガイド用凹部１５が形成されている。このレールガイド用凹部１５には、窓枠の上枠部から突出するレール（図示しない）が入り込むようになっている。
型材１２，１３の下端部により、ガラス板支持用凹部１６が形成されている。このガラス板支持用凹部１６に、ガラス板４の上縁部が嵌め込まれるようになっている。
【００１８】
本実施形態の換気装置２では、装置本体１０にスライド可能に支持された作動板２０により、換気通路１４が開閉されるようになっている。この作動板２０は、装置本体１０の長手方向に延びて型材１１の屋内側の面に接している。作動板２０には、上下に細長い制御口２１が長手方向に等間隔をおいて多数形成されている。作動板２０が長手方向にスライドして制御口２１が型材１１の通気口１１ａと一致した時、換気通路１４が開かれ、制御口２１が通気口１１ａと不一致の時、換気通路１４が閉じられる。
【００１９】
上記作動板２０を開閉するための開閉機構３０について簡単に説明する。図１に示すように、型材１３の右端部には支持枠３１が嵌め込まれており、この支持枠３１には操作つまみ３２が左右方向（装置本体１０の長手方向）にスライド可能に支持されている。図２に示すように、作動板２１の右端部には作動板ホルダ３３が固定されている。この作動板ホルダ３３が連結リンク３４を介して上記操作つまみ３２に連結されている。これにより、操作つまみ３２のスライド操作に伴い、作動板２０がスライドするようになっている。
【００２０】
型材１３の屋内側にはフィルタ４０とフィルタ押さえ４１が着脱可能に装着されている。フィルタ押さえ４１には多数の通気口４１ａが形成されている。
【００２１】
換気装置２は、換気通路１４に配置された不燃性の防火材５０を備えている。この防火材５０は装置本体１０の略全長にわたって長手方向に延び、火災時の異常高温により発泡して換気通路１４を塞ぐようになっている。
防火材５０は、型材１１においてレールガイド用凹部１５の底壁の平坦な下面、換言すれば換気通路１４の上壁面１４ａに、両面接着テープまたは接着剤により接着されている。
【００２２】
さらに換気装置２は、火災時に発泡してレールガイド用凹部１５を塞ぐ不燃性の防火材５１と、ガラス板支持用凹部１６を塞ぐ不燃性の防火材５２を備えている。これら防火材５１，５２も装置本体１０の略全長にわたって延びている。
【００２３】
防火材５１は、レールガイド用凹部１５の側壁面に接着されている。この側壁面には、その接着領域の上下縁に支持リブ１５ａが形成されており、この支持リブ１５ａをかしめることにより、防火材５１の上下縁部が固定されている。
【００２４】
防火材５２は、支持板５５の下面に接着されている。この支持板５５は、装置本体１０の両端部において、換気通路１４の底壁にビス５６で固定されている。
【００２５】
上記防火材５０は換気通路１４の上壁面１４ａに接着されているため、屋外側通気口１１ａからの雨水に浸らずに長期にわたって性能を維持できるが、接着剤の劣化により剥がれ落ちる可能性が残る。そこで、本実施形態では、装置本体１０の両端部に配置されたビス受け部材６０（支持部材）により、防火材５０の両端部を上壁面１４ａに向かって押さえている。
【００２６】
ビス受け部材６０は、換気通路１４の底壁にビス７０で固定された固定部６１と、上端が開放されたタッピングホール６２ａを形成してなるビス受け部６２と、固定部６１とビス受け部６２を連ねる連結部６３とを有している。ビス受け部６２は屋内外方向に離間した一対の片部６２ｘを有している。
【００２７】
ビス受け部材６０で防火材５０の両端部を上壁面１４ａに押し付けることにより、接着層の劣化により防火材５０がその端部から剥がれ落ちるのを防止でき、剥がれた防火材５０により換気通路１４での空気流通や作動板２０の開閉動作が妨げられるのを防止できる。防火材５０は両端部から剥がれ始めるが、この両端部を押さえることにより効果的に剥がれを防止できる。
【００２８】
防火材５０の各端部は、ビス受け部６２の一対の片部６２ｘの上端部により２箇所で強く押さえるので、より確実に剥がれを防止することができる。
ビス受け部材６０は、上下寸法が大きいが、換気通路１４の両端部だけに配置されているので、換気通路１４での空気の流通を妨げることはない。
【００２９】
上記換気装置２の左右両端は、縦框３（閉塞部材）の上端部に固定され、換気通路１４の両端開口が縦框３により塞がれている。詳述すると、縦框３は、装置本体１０の長手方向と直交する垂直壁３ａを有しており、この垂直壁３ａを装置本体１０の左右端に当てた状態で、ビス７２を垂直壁３ａに形成された挿通穴に通し、上記ビス受け部材６０のタッピング穴６２ａにタッピングしながらねじ込むことにより、換気装置２の左右両端が縦框３の上端部に固定される。
ビス受け部材６０は、換気装置２を縦框３に固定するビス７２を受ける本来の役割の他に、上述したように防火材５０を押さえる役割を担うので、部品点数を少なくすることができる。
【００３０】
本発明は上記実施形態に制約されず種々の態様が可能である。
上記実施形態では上框一体型の換気装置に本発明を適用したが、上框とは別体をなす換気装置に本発明を適用してもよい。
換気装置の両端に配置される閉塞部材は換気通路を塞ぐキャップであってもよい。
防火材を押さえる支持部材は、ビス受け部材とは別部品であってもよい、
作動板は、回動により換気通路を開閉してもよいし、スライドと回動によって換気通路を開閉してもよい。
【産業上の利用可能性】
【００３１】
本発明は、防火性能を有する換気装置に適用可能である。
【符号の説明】
【００３２】
１  サッシ戸
２  換気装置
３  縦框（閉塞部材）
１０  装置本体
１４  換気通路
１４ａ  上壁面
２０  作動板
３０  開閉機構
５０  防火材
６０  ビス受け部材（支持部材）
７２  ビス
【図１】
2019128104.tif 000003
【図２】
2019128104.tif 000004